(57)【要約】【課題】ダンボール紙だけで構成されたものでありながら、重量のある衣服Ｓの荷重を確実に支え、ボックス自体の変形や破損も防止する。【解決手段】本発明のハンガーボックス１は、服用ハンガー３を吊下状態で支持可能なビーム形状とされたハンガーバー２を、互いに対面し合う側壁間に架け渡し状に備えるハンガーボックス１であって、ハンガーバー２は、当該ハンガーバー２の長手方向と直交する方向に、ダンボール紙を折り重ねることで、架け渡し方向に長尺とされており、ハンガーバー２は、長手方向の両端を側壁の外側に突出させると共に、突出した端部を側壁に向かって折り返して、折り返された端部を側壁の外面に沿わせるようにして取り付けられていることを特徴とする。【選択図】図１
2020200064.tif 000002
【特許請求の範囲】
【請求項１】
服用ハンガーを吊下状態で支持可能なビーム形状とされたハンガーバーを、互いに対面し合う側壁間に架け渡し状に備えるハンガーボックスであって、
前記ハンガーバーは、当該ハンガーバーの長手方向と直交する方向に、ダンボール紙を折り重ねることで、前記架け渡し方向に長尺とされており、
前記ハンガーバーは、長手方向の両端を前記側壁の外側に突出させると共に、突出した端部を前記側壁に向かって折り返して、折り返された端部を前記側壁の外面に沿わせるようにして取り付けられている
ことを特徴とするハンガーボックス。
【請求項２】
前記ハンガーバーは、
長手方向に伸びる折返線を境に前記ダンボール紙を折り返すことで、前記ダンボール紙が左右に重なり合った構造とされており、
前記側壁の外側に突出した端部を、長手方向と交差する方向に伸びる折返線を境に長手方向に折り返して前記側壁の外面に取り付けられている
ことを特徴とする請求項１に記載のハンガーボックス。  
【請求項３】
前記ハンガーバーは、左右方向の厚みに比べて、上下方向の寸法が広幅となるような断面形状を有している
ことを特徴とする請求項１または２に記載のハンガーボックス。
【請求項４】
前記ハンガーバーの長手方向の両端には、前記ハンガーバーの折り返し端を側壁の外面に係止するための係止片が設けられており、
前記側壁には、前記係止片を差し込み可能な差し込みスリットが形成されている
ことを特徴とする請求項１〜３のいずれかに記載のハンガーボックス。
【請求項５】
請求項１〜４のいずれかに記載のハンガーボックスに用いられるハンガーバーであって、
前記服用ハンガーを吊下するハンガー掛け部が、前記ハンガーバーの長手方向に距離をあけて少なくとも２ヶ所以上形成されている
ことを特徴とするハンガーバー。
【請求項６】
前記ハンガー掛け部には、前記服用ハンガーが単数の場合に用いられる第１掛け部と、前記服用ハンガーが複数の場合に用いられる第２掛け部と、があり、
前記第１掛け部と第２掛け部とは、互いに前記ハンガーバーの上縁における異なる位置に形成されている
ことを特徴とする請求項５に記載のハンガーバー。
【発明の詳細な説明】
【技術分野】
【０００１】
本発明は、衣服を服用ハンガーに掛けたままの状態で梱包して運搬することができるハンガーボックス、及びこのハンガーボックスに用いられるハンガーバーに関するものである。
【背景技術】
【０００２】
従来、ｅコマースなどで購入又はオークションで落札等した衣服を輸送する場合、あるいは仕立てや直しが終了した衣服を運搬する際に、ダンボールなどで形成されたハンガーボックス（衣服配送箱）が用いられる場合がある。このようなハンガーボックスには、衣服を服用ハンガーにかけたまま吊るすことができるようにハンガーバーが設けられており、しわにならないように衣服を吊るした状態で梱包・運搬可能となっている。
【０００３】
例えば、特許文献１には、四枚の側板と閉塞された底板よりなり、一方の対向する２側板に中央部に切り目が設けられた内フラップを設け、他方の対向する２側板の一方には外フラップが設けられ、他方の外フラップが設けられた側板の少なくとも一部とを上記一方の対向する２側板のいずれか或いは底板に連設し、更に別体で中央の折目に対称な多数のハンガー等の吊下げ用の孔を設けた垂下片と、その夫々の垂下片の左右に止片を設けた補強フラップを前記外フラップの突合わせ部位と内フラップの中央部の切り目とに差込んだことを特徴とする衣類の収納・運搬箱が開示されている。
【先行技術文献】
【特許文献】
【０００４】
【特許文献１】実用新案登録第３０１９３７３号公報
【発明の概要】
【発明が解決しようとする課題】
【０００５】
ところで、特許文献１の衣類の収納・運搬箱は、引っ越しの際に複数着の衣服を吊るした状態で服用ハンガーにかけたまま搬送可能なものとなっている。
ただ、衣服は種類によってその重さが大きく異なる。例えば、軽量なＴシャツなどの衣服であれば、数着掛けても重量はそれほど大きくはなく、特許文献１の収納・運搬箱であっても十分に運搬することは可能である。しかし、Ｔシャツの数倍の重量を有する紳士用のスーツやコートなどの衣服の場合、服用ハンガーに掛けたまま特許文献１の補強フラップ５２に数着も掛けると、補強フラップ５２（ハンガーバー）に大きな荷重が加わり、補強フラップ５２が破損したり差込み孔３１〜３４から差込み片５０、５１が抜け落ちたりする可能性がある。
【０００６】
つまり、特許文献１の衣類の収納・運搬箱は、差込み孔３１〜３４に差込み片５０、５１を差し込んで補強フラップ５２をテープなどで固定する構造となっており、テープで留められる補強フラップ５２は支持強度が大きいとはいい難い。当然、このような収納・運搬箱で重量がある衣服を数着支持することは困難である。
また、重量がある衣服を吊るすと、ハンガーバーが取り付けられたハンガーボックスにも大きな力が加わり、側壁や側板が内側や外側に変形して箱自体が歪んで破損してしまう可能性も大きくなる。そのため、ハンガーボックス自体の変形や歪みを防止するために何らかの手段を講じているのが好ましい。この点で特許文献１の衣類の収納・運搬箱は、箱自体の破損や変形を防止できるものとはなっていない。
【０００７】
本発明は、上述の問題に鑑みてなされたものであり、ダンボールだけで構成されたものでありながら、重量のある衣服の荷重を確実に支えることができ、ボックス自体の変形や破損も防止することができるハンガーボックス及びハンガーボックスに用いられるハンガーバーを提供することを目的とする。
【課題を解決するための手段】
【０００８】
上記課題を解決するため、本発明のハンガーボックス及びハンガーボックスに用いられるハンガーバーは以下の技術的手段を講じている。
即ち、本発明のハンガーボックスは、服用ハンガーを吊下状態で支持可能なビーム形状とされたハンガーバーを、互いに対面し合う側壁間に架け渡し状に備えるハンガーボックスであって、前記ハンガーバーは、当該ハンガーバーの長手方向と直交する方向に、ダンボール紙を折り重ねることで、前記架け渡し方向に長尺とされており、前記ハンガーバーは、長手方向の両端を前記側壁の外側に突出させると共に、突出した端部を前記側壁に向かって折り返して、折り返された端部を前記側壁の外面に沿わせるようにして取り付けられていることを特徴とする。
【０００９】
好ましくは、前記ハンガーバーは、長手方向に伸びる折返線を境に前記ダンボール紙を折り返すことで、前記ダンボール紙が左右に重なり合った構造とされており、前記側壁の外側に突出した端部を、長手方向と交差する方向に伸びる折返線を境に長手方向に折り返して前記側壁の外面に取り付けられているとよい。  
好ましくは、前記ハンガーバーは、左右方向の厚みに比べて、上下方向の寸法が広幅となるような断面形状を有しているとよい。
【００１０】
好ましくは、前記ハンガーバーの長手方向の両端には、前記ハンガーバーの折り返し端を側壁の外面に係止するための係止片が設けられており、前記側壁には、前記係止片を差し込み可能な差し込みスリットが形成されているとよい。
また、本発明のハンガーボックスに用いられるハンガーバーは、上述したハンガーボックスに用いられるハンガーバーであって、前記服用ハンガーを吊下するハンガー掛け部が、前記ハンガーバーの長手方向に距離をあけて少なくとも２ヶ所以上形成されていることを特徴とする。
【００１１】
好ましくは、前記ハンガー掛け部には、前記服用ハンガーが単数の場合に用いられる第１掛け部と、前記服用ハンガーが複数の場合に用いられる第２掛け部と、があり、前記第１掛け部と第２掛け部とは、互いに前記ハンガーバーの上縁における異なる位置に形成されているとよい。
【発明の効果】
【００１２】
本発明のハンガーボックス及びハンガーボックスに用いられるハンガーバーによれば、ダンボールだけで構成されたものでありながら、重量のある衣服の荷重を確実に支えることができ、ボックス自体の変形や破損も防止することができる。
【図面の簡単な説明】
【００１３】
【図１】第１実施形態のハンガーボックスにおいて上側のフラップをすべて透過してボックス本体を見た場合の透過斜視図である。
【図２】第１実施形態のハンガーボックスの使用態様を示した図である。
【図３】折り返し前の平坦に展開された状態の第１実施形態のハンガーバー（３つ折タイプ）を示した図である。
【図４】組み立て途中の状態（第３側片のみを折り返した状態）の第１実施形態のハンガーバー（３つ折タイプ）を示した図である。
【図５】組み立て後の状態（第１側片と第２側片とを折り返して重ねた状態）の第１実施形態のハンガーバー（３つ折タイプ）を示した図である。
【図６】第１実施形態のハンガーボックスを組み立てるに際して、ハンガーボックスに図５のハンガーバーを差し込む手順を示した図である。
【図７】第１実施形態のハンガーボックスを組み立てるに際して、ハンガーボックスにハンガーバーを差し込んでいる途中の手順を示した図である。
【図８】第１実施形態のハンガーボックスを組み立てる際に、上側前部フラップを後方に折り返して、差し込まれたハンガーバーを上から押さえる手順を示した図である。
【図９】第１実施形態のハンガーボックスを組み立てる際に、側壁の外側に突出したハンガーバーの折り返し端を外面に沿うように折り返す手順を示した図である。
【図１０】第１実施形態のハンガーボックスを組み立てる際に、折り返し端の係止片を側壁の差し込みスリットに差し入れる手順を示した図である。
【図１１】第１実施形態のハンガーボックスを組み立てる際に、差し込みスリットに差し入れられた係止片を抜け止め片で抜け止め固定する手順を示した図である。
【図１２】第１実施形態のハンガーボックスを組み立てるに際して、折り返された上側前部フラップの上から、上側後部フラップでさらに固定する手順を示した図である。
【図１３】折り返し前の平坦に展開された状態の第２実施形態のハンガーバー（２つ折タイプ）を示した図である。
【図１４】組み立て後の状態の第２実施形態のハンガーバー（２つ折タイプ）を示した図である。
【発明を実施するための形態】
【００１４】
［第１実施形態］
以下、本発明のハンガーボックス１及びハンガーボックス１に用いられるハンガーバー２の実施形態を、図面に基づき詳しく説明する。
図１に示すように、第１実施形態のハンガーボックス１は、服用ハンガー３を吊下状態で支持可能なビーム形状とされたハンガーバー２を、互いに対面し合うボックス本体４の側壁間に架け渡し状に備えるものとなっている。具体的には、このハンガーボックス１は、上下方向、左右方向、及び前後方向に距離を開けて平行に対面し合う２枚１組の長方形のダンボール板を、全部で３組組み合わせて形成されていて、左右方向や前後方向に比して上下方向に背が高い直方体形状となっている。ボックス本体４の内部には、服用ハンガー３を吊下した状態で掛け止め可能なハンガーバー２が、前側壁４Ｆと後側壁４Ｂとに前後に架け渡された状態で設けられている。
【００１５】
次に、第１実施形態のハンガーボックス１を構成するボックス本体４及びハンガーバー２について説明する。
以降では、ハンガーボックス１を水平に切断した場合の断面における短辺方向を、ハンガーバー２及びハンガーボックス１を説明する場合の前後方向という。また、ハンガーボックス１を水平に切断した場合の断面における長辺方向を、ハンガーバー２及びハンガーボックス１を説明する場合の左右方向という。さらに、前後方向及び左右方向の双方に直交する方向を、ハンガーバー２及びハンガーボックス１を説明する場合の上下方向という。なお、これらの方向については、適宜図中に矢印を用いて示している。
【００１６】
図２は、第１実施形態のハンガーボックス１の使用態様を模式的に示したものである。
図２に示すように、第１実施形態のハンガーボックス１は、上下セットのスーツなどのように重量がある衣服Ｓを少ない場合は１着、多くても２着、箱内に吊下して運搬できるように形成されたものである。また、第１実施形態のハンガーボックス１は、前後方向の厚みに比べて左右方向の幅の方が長く、さらに左右方向や前後方向に比べて上下方向に背が高い構成とされている。
【００１７】
具体的には、図２に示す如く、第１実施形態のハンガーボックス１は、上方から見た場合に左右方向に長い長方形の断面を有している。そして長方形の短辺に相当する右側の側壁に、服用ハンガー３に掛けられた衣服Ｓをボックス内に入れたりボックス外に出したりする衣服出入口５が形成されている。この衣服出入口５は、衣服Ｓの出し入れに合わせて扉のように開閉自在とされている。つまり、ハンガーボックス１は、服用ハンガー３に掛けた衣服Ｓを縦にした状態で、衣服出入口５から箱内に出し入れできるようになっている。
【００１８】
ボックス本体４は、シングルのダンボール紙を用いて箱状に形成されている。このボックス本体４は上方に向かって開口しており、上方の開口を閉鎖できるように、前側、後側、左側及び右側に折り返し自在なフラップ６が設けられている。これら４枚のフラップ６のうち、前側のフラップ６Ｆ及び後側のフラップ６Ｂにおける幅方向中央側には、逆Ｕ字状の切り込みが形成されており、切り込まれた部分を折り返してボックス本体４の前側壁４Ｆ及び後側壁４Ｂに沿って重ね合わせ可能とされている。つまり、ボックス本体４の前側壁４Ｆ及び後側壁４Ｂは、上側の幅方向中央側だけがダンボール紙が二重に重なった状態となっている。このダンボールが二重となった部分には、二重に重なったダンボールを内外に貫通するようにスリット７が形成されている。このスリット７は、上下に伸びるように形成されており、上方に向かって開口していて、上述したハンガーバー２の前端側及び後端側の折り返し端８を差し込んで取り付け可能となっている。つまり、上述したハンガーバー２は、前後方向の両端（前端側及び後端側）をスリット７に差し込むことでボックス本体４に固定可能となっている。
【００１９】
なお、スリット７の上下方向に沿った切り込み深さは、ハンガーバー２の上下方向の寸法にもよるが、少なくとも５０ｍｍ以上とされており、上下方向に高さがあるハンガーバー２でも差し込んで固定できる寸法に形成されている。
ハンガーバー２は、ボックス本体４を構成するものと同じダンボール紙を用いて形成されており、このダンボール紙を少なくとも２回以上に亘って折り返して重ね合わせることで、重量があるスーツやコートなどの衣類であっても、服用ハンガー３ごと吊るして支持できる強度に形成されている。
【００２０】
具体的には、第１実施形態のハンガーバー２は、ダンボール紙を長手方向と直交する方向（以降の図３及び図４では上下方向）に３重に折り重ねることで前後方向に長尺な板状（角棒状）に形成されている。このハンガーバー２は、折り重ねられた後で、長手方向の両端（前端側及び後端側）を、ボックス本体４の前側壁４Ｆと後側壁４Ｂとに係合して、ボックス本体４に対して前後方向に架け渡されるように、言い換えれば長手方向が架け渡し方向となるように取り付けられる。この第１実施形態のハンガーバー２の折り返し手順は、図３〜図４に示すようなものとなっている。
【００２１】
つまり、図３に示すように、第１実施形態のハンガーバー２は、平坦に展開した状態では、左右方向に比べて前後方向に長い形状（略長方形状）に形成されている。この展開された状態のハンガーバー２には、前後方向に沿うように伸びる折返線９が２線互いに平行に形成されている。
以降では、これら２線の折返線９のうち、左側の折返線９を「左折返線９Ｌ」、右側の折返線９を「右折返線９Ｒ」という。また、展開された状態のハンガーバー２のうち、左右折返線９Ｌ、９Ｒに挟まれた部分を「第１側片」、右折返線９Ｒの右側を「第２側片」、左折返線９Ｌの左側を「第３側片」、という。
【００２２】
平坦に広げられた状態のダンボール紙から第１実施形態のハンガーバー２を組み上げる場合は、まず左折返線９Ｌに沿って、左折返線９Ｌの左側に位置する第３側片を、左右折返線９Ｌ、９Ｒの間に位置する第１側片の上に重ねるように折り返す。
次に、図４に示すように、互いに重ね合わされた第３側片及び第１側片の上から、右折返線９Ｒに沿って、右折返線９Ｒの右側に位置する第２側片を折り返して重ね合わせる。
【００２３】
このようにすればダンボール紙が上から第２側片、第３側片、第１側片の順に３枚に亘って重ね合わされたハンガーバー２を組み立てることができる。  
図５に示すハンガーバー２は、互いに重ね合わされた３枚のダンボール紙が、左右方向に重なり合うように配備されたものである。言い換えれば、図５のハンガーバー２は、図４のものを右方向に９０度だけ回転させた（横倒しにした）ものとなっている。つまり、このハンガーバー２は、ダンボール紙が左右方向に三枚重ね合わされており、前後方向に長尺であると共に上下方向や左右方向にもある程度の厚みを有する角棒状に形成されている。
【００２４】
上述したハンガーバー２をボックス本体４に取り付ける場合は、ハンガーバー２の前端側を、長手方向の中途側に対して左方と左方に向くようにそれぞれほぼ直角に折り曲げる。また、ハンガーバー２の後端側も、長手方向の中途側に対して左方と左方に向くようにほぼ直角に折り曲げる。このようにすれば、ハンガーバー２を、上方から見た場合にＩ字状の外観となるように変形することができ、ボックス本体４に取り付けることが可能となる。
【００２５】
具体的には、ハンガーバー２の前端側については、第１側片のダンボール紙のみ（左右に並んだハンガーバー２の３枚のダンボール紙のうち、左側に位置するダンボール紙のみ）を長手方向の中途側に対して左方に折り返して左側の折り返し端８とする。また、第２側片のダンボール紙のみ（左右に並んだハンガーバー２の３枚のダンボール紙のうち、右側に位置するダンボール紙のみ）を右方に折り返して右側の折り返し端８とする。このとき、第１側片のダンボール紙の前端側や第２側片のダンボール紙の前端側には前折返線９Ｆがあり、前折返線９Ｆを境に左右に折り返すことで、ハンガーバー２の前端側は略Ｔ字状に分岐した構造となる。
【００２６】
また、ハンガーバー２の後端側についても、前端側と同様に第１側片のダンボール紙のみを長手方向の中途側に対して左方に折り返して左側の折り返し端８とし、また第２側片のダンボール紙のみを右方に折り返して右側の折り返し端８とする。第１側片のダンボール紙の後端側や第２側片のダンボール紙の後端側にも前折返線９Ｆと同様に後折返線９Ｂがあり、後折返線９Ｂを境に左右に折り返すことで、ハンガーバー２の後端側は略Ｔ字状に分岐した構造となる。
【００２７】
なお、ハンガーバー２を構成する３つの折り返し片のうち、左右方向の中央に配備された第３側片は、第１側片や第２側片より短く形成されており、折り返し端８を両端に有していない。つまり、ハンガーバー２の折り返し端８は、第１側片と第２側片だけに存在するものとなっている。また、上述した第１側片や第２側片に設けられた前後２枚の折り返し端８の先端にはそれぞれの折り返し端８に対して折り曲げ可能な係止片１０がさらに形成されている。
【００２８】
また、ハンガーバー２の下部には、下方に向かって突出する位置決め突起１１が形成されている。この位置決め突起１１は、上述したスリット７にハンガーバー２を差し入れた場合に、スリット７の下端よりもさらに下方にまで突出して、ボックス本体４の前側壁４Ｆと後側壁４Ｂに接触することで、前側壁４Ｆ及び後側壁４Ｂが箱の内側に向かって歪むことを抑制可能となっている。
【００２９】
さらに、ハンガーバー２の上部には、服用ハンガー３を掛け止めするハンガー掛け部１２が形成されている。このハンガー掛け部１２は、ハンガーバー２の長手方向に少なくとも２ヶ所以上、本実施形態の場合は長手方向に距離をあけて３ヶ所形成されている。本実施形態の３ヶ所のハンガー掛け部１２のうち、中央のハンガー掛け部１２は、衣服Ｓが掛けられた服用ハンガー３を１つだけ収容する場合に用いられる第１掛け部１３である。また、両端のハンガー掛け部１２は、服用ハンガー３を２つ収容する場合に用いられる第２掛け部１４である。これらのハンガー掛け部１２は、いずれもハンガーバー２の上縁に、下方に向かって凹む凹部として形成されており、上部のフラップ６でボックスを閉鎖した場合に服用ハンガー３の吊下金具がずれない構成とされている。
【００３０】
また、上述した第１掛け部１３は、ハンガーバー２の長手方向の中間よりも後側にオフセットした位置に形成されている（第１掛け部１３と第２掛け部１４とは、互いにハンガーバー２の長手方向における異なる位置に形成されている）。このように第１掛け部１３を後側にオフセットした位置に形成するのは、以下のような理由からである。
すなわち、スーツなどの衣類は、後身頃に比べて前身頃が大きくなるような寸法に形成されることが多い。そのため、ハンガーバー２の長手方向の中間に第１掛け部１３を形成すると、ボックス本体４の後側壁４Ｂまでの距離に比べて、前側壁４Ｆまでの距離に余裕がなくなり、衣服Ｓの前側がボックス本体４に接触してシワなどが入る原因となる。
【００３１】
そこで、本実施形態のハンガーボックス１では、第１掛け部１３から後側壁４Ｂまでの距離に比べて、第１掛け部１３から前側壁４Ｆまでの距離の方が長くなる位置、言い換えれば前後方向の中央側から後側にオフセットした位置に第１掛け部１３を形成している。具体的には、この第１掛け部１３を形成する位置は、第１掛け部１３から後側壁４Ｂまでの距離が「３〜４．５」であるのに対して、第１掛け部１３から前側壁４Ｆまでの距離が「７〜５．５」となるような位置とされている。
【００３２】
一方、第２掛け部１４も、第１掛け部１３と同様に、後身頃に比べて前身頃が大きいスーツに対応した位置に形成されている。具体的には、前側壁４Ｆから後側壁４Ｂまでの距離が約２５０ｍｍのハンガーボックス１の場合であれば、前側壁４Ｆから後方に約１００ｍｍの位置に前側の第２掛け部１４が、またこの第１掛け部１３から後方に約１００ｍｍの位置に後側の第２掛け部１４が形成されており、後側の第２掛け部１４から後側壁４Ｂまでの距離は約５０ｍｍとなっている。このような配置に第２掛け部１４を設ければ、スーツなどの衣服Ｓを２着収容しても衣服Ｓ同士の間隔が適正なものとなり、衣服Ｓがボックスや他の衣服Ｓに当たってシワなどが入ったり、ハンガーバー２から誤って服用ハンガー３ごと落下したりすることが防止される。
【００３３】
係止片１０は、上述した折り返し端８の先端に形成されており、ボックス本体４の前側壁４Ｆ及び後側壁４Ｒに形成された差し込みスリット１５に差し込まれることで、折り返し端８を固定可能となっている。係止片１０は、折り返し端８の先端からさらに先端側に向かって突出する突片であり、左側の折り返し端８であれば左方に向かって、右側の折り返し端８であれば右方に向かって突出している。係止片１０は、先端側（突端側）に向かうに連れて上下方向の幅が広くなるようなくさび状（台形を横にしたような形状）に形成されており、上述した差し込みスリット１５に一旦差し込まれたら抜け難くなるような形状に形成されている。
【００３４】
差し込みスリット１５は、上述した折り返し端８をボックス本体４の前側壁４Ｆまたは後側壁４Ｂに沿うように折り返した場合に、折り返し端８の先端に設けられた係止片１０に対応した位置に形成されている。差し込みスリット１５は、係止片１０とほぼ同じか、やや大きなくさび状に形成されており、上述した係止片１０を差し込めるようになっている。具体的には、本実施形態の差し込みスリット１５は、上述したくさび形状のうち、上下方向の長さが長い１辺を切り込まずに残したまま、残りの３辺に沿って切り込みを行うことで形成されており、切り込まずに残した１辺がヒンジとして作用することで扉のように開閉可能となっている。それゆえ、この差し込みスリット１５を扉のように開動させて、係止片１０をスリット７内に差し込み、差し込みスリット１５を再び閉めれば、係止片１０を抜けないように固定することが可能となる。
【００３５】
なお、上述した手順は、差し込みスリット１５の開閉のみで係止片１０を係止する態様を示しているが、差し込みスリット１５に係止片１０を差し込んだ上で、テープなどを用いて差し込みスリット１５の開口を貼り付けて閉じれば、差し込みスリット１５が開かないようになり係止片１０の抜け止めをより確実に行うことが可能となる。
次に、図６〜図１２を用いて、ハンガーボックス１の組み上げ方（使用方法）について説明する。  
【００３６】
まず、図６に示すように、上方に向かって開口したハンガーボックス１を用意する。このハンガーボックス１は、前側壁４Ｆ及び後側壁４Ｂの上部における幅方向中央側のダンボール紙だけが二重に重なった状態となっている。このダンボール紙が二重となった部分には、二重に重なったダンボールを内外に貫通するようにスリット７が形成されている。このスリット７は、上下方向に沿うように形成されており、また上方に向かって開口している。
【００３７】
図７に示すように、上方に向かって開口するハンガーボックス１のスリット７に対して、まずハンガーバー２を上方から差し入れる。このときのハンガーバー２の折り返し端８は、ハンガーバー２の長手方向の中途側と同じ方向を向いており、左右いずれの方向にも折り曲げられていない。つまり、ハンガーバー２は、後端側から前端側まで一直線に伸びる構成となっており、上下方向に沿うスリット７にスムーズに差し入れることができる構成となっている。なお、後端側から前端側まで一直線に伸びたハンガーバー２は、ボックス本体４の前側壁４Ｆから後側壁４Ｂまでの間隔より長尺であるため、前側壁４Ｆのスリット７からはハンガーボックス１の外側に向かってハンガーバー２の前端側２Ｆが突出し、また後側壁４Ｂのスリット７からはハンガーボックス１の外側に向かってハンガーバー２の後端側２Ｂが突出する。
【００３８】
図８に示すように、スリット７の下側の溝端までハンガーバー２を差し入れると、スリット７の下側の溝端にハンガーバー２の下端縁が接触する。このとき、上述した位置決め突起１１が、スリット７の下端（下側の溝端）よりもさらに下方にまで突出し、下方に突出した突端がボックス本体４の前側壁４Ｆ及び後側壁４Ｂの内周面に接触する。そのため、ボックス本体４の前側壁４Ｆや後側壁４Ｂが箱の内側に向かって歪むことはない。
【００３９】
図９に示すように、スリット７の下端までハンガーバー２が差し込まれたら、前側の上部のフラップ６Ｆを後方に向かって折り返し、前側の上部のフラップ６Ｆで差し込まれたハンガーバー２がスリット７から抜けないように押さえ込む。
上述したフラップ６でハンガーバー２を押さえ込んだら、前端側の折り返し端８と、後端側の折り返し端８を左右に折り返す。具体的には、上述したように前側壁４Ｆのスリット７からはハンガーボックス１の外側に向かってハンガーバー２の前端側が突出している。そこで、この前方に突出した前端側の折り返し端８のうち、左側の折り返し端８を左方向に揺動させると共に、右側の折り返し端８を右方向に揺動させる。
【００４０】
一方、後側壁４Ｂのスリット７からはハンガーボックス１の外側に向かってハンガーバー２の後端側が突出している。そこで、この後方に突出した後端側の折り返し端８のうち、左側の折り返し端８を左方向に揺動させると共に、右側の折り返し端８を右方向に揺動させる。
図１０に示すように、左方向に向かった左側の折り返し端８の揺動と、右方向に向かった右側の折り返し端８の揺動とに合わせて、上述した差し込みスリット１５を開動させる。つまり、左側及び右側の差し込みスリット１５は、扉のように開閉可能になっており、開動することで係止片１０をスリット内に差し入れることができるようになる。
【００４１】
それゆえ、図１１に示すように、左右それぞれの差し込みスリット１５に係止片１０を差し入れた上で、差し込みスリット１５を閉じれば、係止片１０を抜けないように係止することができる。
上述した図９〜図１１の手順は前側壁４Ｆにハンガーバー２の前端側を取り付ける場合のものであるが、後側壁４Ｒにハンガーバー２の後端側を取り付ける場合にも、同様な手順を行うことができる。
【００４２】
図１２に示すように、後側壁４Ｂにもハンガーバー２の後端側を取り付けたら、ハンガーバー２が取り付けられたハンガーボックス１を得ることができる。
第１実施形態のハンガーボックス１は、ダンボール紙を複数回折り重ねたハンガーバー２を用いているため、衣服Ｓの重量を支えるに十分な強度を備えている。そのため、ダンボールだけで構成されたものでありながら、重量のある衣服Ｓの荷重を確実に支えることができる。
【００４３】
また、上述したハンガーバー２は、前端側及び後端側を左右方向に折り返した折り返し端８でボックス本体４を外側から押さえるように取り付けられており、ボックス本体４を外側に向かって変形しないように押さえる機能を有している。加えて、ハンガーバー２の下側には、ボックス本体４が内側に向かって変形することを防止する位置決め突起１１も設けられている。
【００４４】
つまり、上述したハンガーバー２を取り付けることで、ボックス本体４は内側に向かっても外側に向かっても変形を起こしにくくなる。その結果、ボックス本体４自体の変形や破損を抑制することも可能となる。
［第２実施形態］
次に、第２実施形態のハンガーボックス１及びハンガーボックス１に用いられるハンガーバー２について説明する。
【００４５】
上述した第１実施形態のハンガーバー２はダンボール紙を３重に折り重ねたものであったが、ダンボール紙の重ね合わせは３重に限ったものではない。例えば、第２実施形態に示すようにダンボール紙を２重に重ね合わせたものであってもよいし、４重以上に重ねたものであっても良い。
具体的には、第２実施形態のハンガーバー２は、ダンボール紙を２重に折り重ねることで前後方向に長尺な棒状に形成されている。この第２実施形態のハンガーバー２の折り返し手順は、図１３及び図１４に示すようなものとなっている。
【００４６】
すなわち、図１３に示すように、第２実施形態のハンガーバー２は、平坦に展開した状態では、左右方向に比べて前後方向に長い形状に形成されている。この展開された状態のハンガーバー２には、前後方向に沿うように伸びる折返線９が左右方向の中央に１線形成されている。
第２実施形態のハンガーバー２を組み上げる場合は、まず中央の折返線９に沿って、折返線９の左側に位置する第１側片を、折返線９の右側に位置する第２側片の上に重ねるように折り返す。
【００４７】
次に、図１４に示すように、第２実施形態のハンガーバー２は、２枚に亘って重ね合わされたハンガーバー２を、左右方向にダンボール紙が重なり合うように、右方向に９０度だけ回転させた（横倒しにした）ものである。この図１４に示すハンガーバー２は、ダンボール紙が左右方向に二枚重ね合わされており、前後方向に長尺であると共に上下方向や左右方向にもある程度の厚みを有する角棒状に形成されている。
【００４８】
このようにすればダンボール紙が第２側片、第１側片の順に亘って重ね合わされた第２実施形態のハンガーバー２を組み立てることができる。
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４９】
１  ハンガーボックス
２  ハンガーバー
３  服用ハンガー
４  ボックス本体
４Ｆ  ボックス本体の前側壁
４Ｒ  ボックス本体の後側壁
５  衣服出入口
６  フラップ
６Ｆ  前側のフラップ
６Ｒ  後側のフラップ
７  スリット
８  折り返し端
９  折返線
９Ｌ  左折返線
９Ｒ  右折返線
１０  係止片
１１  位置決め突起
１２  ハンガー掛け部
１３  第１掛け部
１４  第２掛け部
１５  差し込みスリット
Ｓ  衣服
【図１】
2020200064.tif 000003
【図２】
2020200064.tif 000004
【図３】
2020200064.tif 000005
【図４】
2020200064.tif 000006
【図５】
2020200064.tif 000007
【図６】
2020200064.tif 000008
【図７】
2020200064.tif 000009
【図８】
2020200064.tif 000010
【図９】
2020200064.tif 000011
【図１０】
2020200064.tif 000012
【図１１】
2020200064.tif 000013
【図１２】
2020200064.tif 000014
【図１３】
2020200064.tif 000015
【図１４】
2020200064.tif 000016